(57)【要約】【課題】この発明は、電子開閉器または電気開閉器によってコンデンサーの充放電を行なわせ、固定抵抗器に電圧を発生せしめる電子回路に関するものである。【解決手段】電子開閉器または電気開閉器によって一定時間ごとにコンデンサーの充放電を行なわせ、固定抵抗器に電圧を発生せしめる。【選択図】  図１
2004310703.tif 000002
【特許請求の範囲】
【請求項１】
１入力に２電子開閉器または２電気開閉器をつなぎ、その２電子開閉器または２電気開閉器を３コントローラーで制御し、２電子開閉器または２電気開閉器の後に４コンデンサー５固定抵抗器とつなぎ、５固定抵抗器の出力に６固定抵抗器と並列に逆バイアスに接続された７ダイオードまたは７定電圧ダイオードと正バイアスに接続された８ダイオードまたは８定電圧ダイオードを９アースに接続され、５固定抵抗器の出力を１０出力としたチョッピング充放電器。
【請求項２】
請求項１の４コンデンサーと５固定抵抗器の間に、６固定抵抗器と並列に逆バイアスに接続された７ダイオードまたは７定電圧ダイオードと正バイアスに接続された８ダイオードまたは８定電圧ダイオードを入れ、５固定抵抗器の出力を１０出力としたチョッピング充放電器。
【請求項３】
請求項１の出力に、６固定抵抗器と並列に逆バイアスに接続された１１ダイオードまたは１１定電圧ダイオードと１２固定抵抗器が直列に接続され、その中点を１３出力Ａとし、また６固定抵抗器と並列に正バイアスに接続された１４ダイオードまたは１４定電圧ダイオードと１５固定抵抗器が直列に接続され、その中点を１６出力Ｂとしたチョッピング充放電器。
【請求項４】
請求項３の５固定抵抗器を取り除き、請求項３の１３出力Ａに１７固定抵抗器を接続し、その出力を１３出力Ａとし、請求項３の１６出力Ｂに１８固定抵抗器を接続し、その出力を１６出力Ｂとしたチョッピング充放電器。
【発明の詳細な説明】
【発明の属する技術分野】
この発明は、超低周波においてチョッピングすることで、コンデンサーの充放電を行ない、その充放電による電流により抵抗に電圧を発生させ、従来の方法より簡単に増幅を行なえるようにするためのものである。
【従来の技術】
超低周波において従来の技術では、交流信号を増幅する場合、コンデンサーと入力抵抗の充放電の時定数を長くとらなければならないため、大容量のコンデンサーを用いなければならず、並列にコンデンサーに付随する寄生抵抗は大容量になればなるほど抵抗値が小さくなり、回路に制約を受けるため時定数を長くすることが困難であった。また、回路に制約を受けるために増幅率が小さくなり、多段数の増幅器を必要とし、部品点数が多くなり、誤配線の発生や、他の部品も大きくなるため、工数も多くなりコストが高くついた。
【発明が解決しようとする課題】
大容量のコンデンサーを用いずに、小容量のコンデンサーを用い、回路の制約を受けにくいものが求められていた。
【課題を解決する手段】
請求項１では、１入力より２電子開閉器または２電気開閉器を３コントローラーにより一定時間ごとに開閉し、４コンデンサーに充放電を行なわせ、６固定抵抗器に電圧を発生せしめる。これは、超低周波では単位時間あたりの電圧変化量が小さいため、２電子開閉器または２電気開閉器がないと、６固定抵抗器に流れる電流が少なく、抵抗器に発生する電圧変化が小さい。この開閉器を一定時間ごとに開閉することによって、単位時間あたりの電圧変化量が大きくなり、６固定抵抗器に流れる電流が多くなり、６固定抵抗器に発生する電圧を大きくする効果をもたらす。なお、５固定抵抗器は、１０出力の後にくる後段の回路に過大な電流が流れるのを防ぐために入れてある。そして、７ダイオードまたは７定電圧ダイオードおよび８ダイオードまたは８定電圧ダイオードにより６固定抵抗器に発生した電圧を制限するために挿入してある。
請求項２も、動作は請求項１と同じで、５固定抵抗器を６固定抵抗器７ダイオードまたは７定電圧ダイオードおよび８ダイオードまたは８定電圧ダイオードの後にしたものである。こうすることによって６固定抵抗器に発生する電圧は、１０出力の後に来る回路の入力抵抗が大きい場合、請求項１で５固定抵抗器と６固定抵抗器に分圧された時より大きな電圧を得ることができる。
請求項３も、動作は請求項１と同じで、６固定抵抗器７ダイオードまたは７定電圧ダイオードおよび８ダイオードまたは８定電圧ダイオードの後に並列に１１ダイオードまたは１１定電圧ダイオードと１２固定抵抗器を直列に接続し、その中点より１３出力Ａを出し、また並列に１４ダイオードまたは１４定電圧ダイオードと１５固定抵抗器を直列に接続し、その中点より１６出力Ｂを出したもので、こうすることによって、順バイアスまたは、逆バイアスのどちらか一方に電圧が発生した時に、出力が出るようにしたものである。
請求項４は、動作は請求項３と同じで、請求項３の５固定抵抗器をはぶき、請求項３の１３出力Ａに１７固定抵抗器を接続しその出力を１３出力Ａとし、請求項３の１６出力Ｂに１８固定抵抗器を接続しその出力を１６出力Ｂとしたものである。こうすることによって、請求項３と同じように、順バイアスまたは、逆バイアスのどちらか一方に電圧が発生した時に、出力が出るようになり、１３出力および１６出力の後に来る回路の入力抵抗が大きい場合、請求項３で５固定抵抗器と６固定抵抗器に分圧された時より大きな電圧を得ることができる。
【発明の効果】
請求項１では、従来の方法より発生する電圧を大きくする効果があり、同じ出力ならば、コンデンサーの容量を従来の方法より小さくすることができ、電圧制限効果がある。
請求項２では、請求項１と同じ効果があるとともに、請求項１より大きな電圧の出力を得ることができる。
請求項３では、請求項１と同じ効果があるとともに、順バイアスまたは、逆バイアスのどちらか一方に電圧が発生した時に、出力が出る効果がある。
請求項４では、請求項３と同じ効果があるとともに、請求項３より大きな電圧の出力を得ることができる。
【図面の簡単な説明】
【図１】本発明請求項１の回路図
【図２】本発明請求項２の回路図
【図３】本発明請求項３の回路図
【図４】本発明請求項４の回路図
【符号の説明】
（図１）
１は入力    ２は電子開閉器または電気開閉器    ３はコントローラー
４はコンデンサー    ５は固定抵抗器    ６は固定抵抗器
７はダイオードまたは定電圧ダイオード
８はダイオードまたは定電圧ダイオード
９はアース    １０は出力
（図２）
１は入力    ２は電子開閉器または電気開閉器    ３はコントローラー
４はコンデンサー    ５は固定抵抗器    ６は固定抵抗器
７はダイオードまたは定電圧ダイオード
８はダイオードまたは定電圧ダイオード
９はアース    １０は出力
（図３）
１は入力    ２は電子開閉器または電気開閉器    ３はコントローラー
４はコンデンサー    ５は固定抵抗器    ６は固定抵抗器
７はダイオードまたは定電圧ダイオード
８はダイオードまたは定電圧ダイオード
９はアース
１１はダイオードまたは定電圧ダイオード    １２は固定抵抗器
１３は出力Ａ
１４はダイオードまたは定電圧ダイオード    １５は固定抵抗器
１６は出力Ｂ
（図４）
１は入力    ２は電子開閉器または電気開閉器    ３はコントローラー
４はコンデンサー    ５は固定抵抗器    ６は固定抵抗器
７はダイオードまたは定電圧ダイオード
８はダイオードまたは定電圧ダイオード
９はアース
１１はダイオードまたは定電圧ダイオード    １２は固定抵抗器
１３は出力Ａ
１４はダイオードまたは定電圧ダイオード    １５は固定抵抗器
１６は出力Ｂ
１７は固定抵抗器    １８は固定抵抗器
【図１】
2004310703.tif 000003
【図２】
2004310703.tif 000004
【図３】
2004310703.tif 000005
【図４】
2004310703.tif 000006